【手続補正書】
【提出日】平成17年7月26日(2005.7.26)
【手続補正１】
【補正対象書類名】明細書
【補正対象項目名】特許請求の範囲
【補正方法】変更
【補正の内容】
【特許請求の範囲】
【請求項１】
物体側から順に、少なくとも、正の第１群と、正の第２群と、負の第３群とを有し、
変倍に際し、前記第１群と前記第２群との間隔と、前記第２群と前記第３群との間隔が、ともに広角端より望遠端で増大し、かつ、前記第３群が固定されていることを特徴とするズームレンズ。
【請求項２】
物体側から順に、少なくとも、正の第１群と、正の第２群と、負の第３群と、正の第４群と、正の第５群とで構成され、
変倍に際し、少なくとも前記第１群は可動で、かつ、各群の間隔がそれぞれ変化することを特徴とするズームレンズ。
【請求項３】
物体側から順に、正の第１群と、正の第２群と、負の第３群と、正の第４群と、正の第５群とで構成され、
変倍に際し、各群の間隔がそれぞれ変化することを特徴とする請求項１に記載のズームレンズ。
【請求項４】
前記第２群を物体側に移動させることによりフォーカシングを行うことを特徴とする請求項１乃至請求項３のいずれかに記載のズームレンズ。
【請求項５】
次の条件式（１）、（２）を満足することを特徴とする請求項２又は請求項３に記載のズームレンズ。
０．１  ＜  ｆ４／ｆｔ  ＜  ０．４                      …(1)
１．５  ＜  ｆ５／ｆｗ  ＜  ２．５                      …(2)
但し、ｆ４は第４群の焦点距離、ｆ５は第５群の焦点距離、ｆｗは広角端での全系の焦点距離、ｆｔは望遠端での全系の焦点距離である。
【請求項６】
次の条件式(1')を満足することを特徴とする請求項５に記載のズームレンズ。
０．１  ＜  ｆ４／ｆｔ  ＜  ０．３８                    …(1')
但し、ｆ４は第４群の焦点距離、ｆｔは望遠端での全系の焦点距離である。
【請求項７】
次の条件式(1”)を満足することを特徴とする請求項５に記載のズームレンズ。
０．１  ＜  ｆ４／ｆｔ  ＜  ０．３５                    …(1”)
但し、ｆ４は第４群の焦点距離、ｆｔは望遠端での全系の焦点距離である。
【請求項８】
次の条件式(2')を満足することを特徴とする請求項５乃至請求項７のいずれかに記載のズームレンズ。
１．７  ＜  ｆ５／ｆｗ  ＜  ２．５                      …(2')
但し、ｆ５は第５群の焦点距離、ｆｗは広角端での全系の焦点距離である。
【請求項９】
次の条件式(2”)を満足することを特徴とする請求項５乃至請求項７のいずれかに記載のズームレンズ。
１．９  ＜  ｆ５／ｆｗ  ＜  ２．５                      …(2”)
但し、ｆ５は第５群の焦点距離、ｆｗは広角端での全系の焦点距離である。
【請求項１０】
次の条件式(3)を満足することを特徴とする請求項１乃至請求項９のいずれかに記載のズームレンズ。
３  ＜  ｆ１／ｆｗ  ＜  ５                          …(3)
但し、ｆ１は第１群の焦点距離、ｆｗは広角端での全系の焦点距離である。
【請求項１１】
次の条件式(3')を満足することを特徴とする請求項１乃至請求項１０のいずれかに記載のズームレンズ。
３．３  ＜  ｆ１／ｆｗ  ＜  ４．８                      …(3')
但し、ｆ１は第１群の焦点距離、ｆｗは広角端での全系の焦点距離である。
【請求項１２】
次の条件式(3”)を満足することを特徴とする請求項１乃至請求項１０のいずれかに記載のズームレンズ。
３．６  ＜  ｆ１／ｆｗ  ＜  ４．０                      …(3”)
但し、ｆ１は第１群の焦点距離、ｆｗは広角端での全系の焦点距離である。
【請求項１３】
次の条件式(4)を満足することを特徴とする請求項１乃至請求項１２のいずれかに記載のズームレンズ。
２  ＜  ｆ２／ｆｗ  ＜  ３．５                      …(4)
但し、ｆ２は第２群の焦点距離、ｆｗは広角端での全系の焦点距離である。
【請求項１４】
次の条件式(5)を満足することを特徴とする請求項１乃至請求項１３のいずれかに記載のズームレンズ。
−０．１６  ＜  ｆ３／ｆｔ  ＜  −０．０８                  …(5)
但し、ｆ３は第３群の焦点距離、ｆｔは望遠端での全系の焦点距離である。
【請求項１５】
次の条件式(5')を満足することを特徴とする請求項１乃至請求項１４のいずれかに記載のズームレンズ。
−０．１２  ＜  ｆ３／ｆｔ  ＜  −０．１０                  …(5')
但し、ｆ３は第３群の焦点距離、ｆｔは望遠端での全系の焦点距離である。
【請求項１６】
次の条件式(6)を満足することを特徴とする請求項１乃至請求項１５のいずれかに記載のズームレンズ。
２．０  ＜  Ｆ  ＜  ４．０                              …(6)
但し、ＦはＦナンバーである。
【請求項１７】
次の条件式(7)を満足することを特徴とする請求項１乃至請求項１６のいずれかに記載のズームレンズ。
−０．３５  ≦  ＭＧ  ≦  −０．１５                        …(7)
但し、ＭＧは最大撮影倍率である。
【請求項１８】
次の条件式(7')を満足することを特徴とする請求項１乃至請求項１７のいずれかに記載のズームレンズ。
−０．３５  ≦  ＭＧ  ≦  −０．２１                        …(7')
但し、ＭＧは最大撮影倍率である。
【請求項１９】
次の条件式(7”)を満足することを特徴とする請求項１乃至請求項１７のいずれかに記載のズームレンズ。
−０．３５  ≦  ＭＧ  ≦  −０．２４                        …(7”)
但し、ＭＧは最大撮影倍率である。
【請求項２０】
次の条件式(8)を満足することを特徴とする請求項１乃至請求項１９のいずれかに記載のズームレンズ。
０．０８  ＜  Δｄ／ｆｔ  ＜  ０．１２                    …(8)
但し、Δｄは無限遠から最至近物点までのフォーカシング移動量、ｆｔは望遠端での全系の焦点距離である。
【請求項２１】
次の条件式(9)、(10)を満足することを特徴とする請求項１乃至請求項２０のいずれかに記載のズームレンズ。
１０  ＜  ＩＨ  ＜  １３                              …(9)
２．８  ＜  ｆｂ／ＩＨ  ＜  ３．８                      …(10)
但し、ＩＨはイメージサークル半径、ｆｂは広角端でのレンズ最終面から撮像面までの距離である。
【請求項２２】
次の条件式(11)を満足することを特徴とする請求項１乃至請求項２１のいずれかに記載のズームレンズ。
０  ＜  ｜ＥＷ｜  ＜  １５                          …(11)
但し、ＥＷは対角線上にある最も軸外の主光線（対角主光線）と光軸とのなす角度（°）である。
【請求項２３】
カメラ本体と着脱可能なマウント部を有することを特徴とする請求項１乃至請求項２２のいずれかに記載の大口径望遠ズームレンズ。
【請求項２４】
請求項１乃至請求項２２のいずれかに記載の大口径望遠ズームレンズと、その大口径望遠ズームレンズを着脱可能とするマウント部と、クイックリターンミラーとを有することを特徴とするカメラ。
【請求項２５】
請求項１乃至請求項２２のいずれかに記載の大口径望遠ズームレンズと、その大口径望遠ズームレンズの像側に配置された、ファインダー光路と撮影用光路とに分離可能な反射部材とを有することを特徴とするカメラ。
【手続補正２】
【補正対象書類名】明細書
【補正対象項目名】０００８
【補正方法】変更
【補正の内容】
【０００８】
また、本第３の発明によるズームレンズは、本第１の発明のズームレンズが、物体側から順に、正の第１群と、正の第２群と、負の第３群と、正の第４群と、正の第５群とで構成され、変倍に際し、各群の間隔がそれぞれ変化することを特徴としている。
また、本第４の発明によるズームレンズは、本第１乃至第３の発明のズームレンズが、前記第２群を物体側に移動させることによりフォーカシングを行うことを特徴としている。
また、本第５の発明によるズームレンズは、本第２又は第３の発明のズームレンズが、次の条件式（１）、（２）を満足することを特徴としている。
０．１  ＜  ｆ４／ｆｔ  ＜  ０．４                      …(1)
１．５  ＜  ｆ５／ｆｗ  ＜  ２．５                      …(2)
但し、ｆ４は第４群の焦点距離、ｆ５は第５群の焦点距離、ｆｗは広角端での全系の焦点距離、ｆｔは望遠端での全系の焦点距離である。
また、本第６の発明によるズームレンズは、本第５の発明のズームレンズが、次の条件式(1')を満足することを特徴としている。
０．１  ＜  ｆ４／ｆｔ  ＜  ０．３８                    …(1')
但し、ｆ４は第４群の焦点距離、ｆｔは望遠端での全系の焦点距離である。
また、本第７の発明によるズームレンズは、本第５の発明のズームレンズが、次の条件式(1”)を満足することを特徴としている。
０．１  ＜  ｆ４／ｆｔ  ＜  ０．３５                    …(1”)
但し、ｆ４は第４群の焦点距離、ｆｔは望遠端での全系の焦点距離である。
また、本第８の発明によるズームレンズは、本第５乃至第７の発明のズームレンズが、次の条件式(2')を満足することを特徴としている。
１．７  ＜  ｆ５／ｆｗ  ＜  ２．５                      …(2')
但し、ｆ５は第５群の焦点距離、ｆｗは広角端での全系の焦点距離である。
また、本第９の発明によるズームレンズは、本第５乃至第７の発明のズームレンズが、次の条件式(2”)を満足することを特徴としている。
１．９  ＜  ｆ５／ｆｗ  ＜  ２．５                      …(2”)
但し、ｆ５は第５群の焦点距離、ｆｗは広角端での全系の焦点距離である。
また、本第１０の発明によるズームレンズは、本第１乃至第９の発明のズームレンズが、次の条件式(3)を満足することを特徴としている。
３  ＜  ｆ１／ｆｗ  ＜  ５                          …(3)
但し、ｆ１は第１群の焦点距離、ｆｗは広角端での全系の焦点距離である。
また、本第１１の発明によるズームレンズは、本第１乃至第１０の発明のズームレンズが、次の条件式(3')を満足することを特徴としている。
３．３  ＜  ｆ１／ｆｗ  ＜  ４．８                      …(3')
但し、ｆ１は第１群の焦点距離、ｆｗは広角端での全系の焦点距離である。
また、本第１２の発明によるズームレンズは、本第１乃至第１０の発明のズームレンズが、次の条件式(3”)を満足することを特徴としている。
３．６  ＜  ｆ１／ｆｗ  ＜  ４．０                      …(3”)
但し、ｆ１は第１群の焦点距離、ｆｗは広角端での全系の焦点距離である。
また、本第１３の発明によるズームレンズは、本第１乃至第１２の発明のズームレンズが、次の条件式(4)を満足することを特徴としている。
２  ＜  ｆ２／ｆｗ  ＜  ３．５                      …(4)
但し、ｆ２は第２群の焦点距離、ｆｗは広角端での全系の焦点距離である。
また、本第１４の発明によるズームレンズは、本第１乃至第１３の発明のズームレンズが、次の条件式(5)を満足することを特徴としている。
−０．１６  ＜  ｆ３／ｆｔ  ＜  −０．０８                  …(5)
但し、ｆ３は第３群の焦点距離、ｆｔは望遠端での全系の焦点距離である。
また、本第１５の発明によるズームレンズは、本第１乃至第１４の発明のズームレンズが、次の条件式(5')を満足することを特徴としている。
−０．１２  ＜  ｆ３／ｆｔ  ＜  −０．１０                  …(5')
但し、ｆ３は第３群の焦点距離、ｆｔは望遠端での全系の焦点距離である。
また、本第１６の発明によるズームレンズは、本第１乃至第１５の発明のズームレンズが、次の条件式(6)を満足することを特徴としている。
２．０  ＜  Ｆ  ＜  ４．０                              …(6)
但し、ＦはＦナンバーである。
また、本第１７の発明によるズームレンズは、本第１乃至第１６の発明のズームレンズが、次の条件式(7)を満足することを特徴としている。
−０．３５  ≦  ＭＧ  ≦  −０．１５                        …(7)
但し、ＭＧは最大撮影倍率である。
また、本第１８の発明によるズームレンズは、本第１乃至第１７の発明のズームレンズが、次の条件式(7')を満足することを特徴としている。
−０．３５  ≦  ＭＧ  ≦  −０．２１                        …(7')
但し、ＭＧは最大撮影倍率である。
また、本第１９の発明によるズームレンズは、本第１乃至第１７の発明のズームレンズが、次の条件式(7”)を満足することを特徴としている。
−０．３５  ≦  ＭＧ  ≦  −０．２４                        …(7”)
但し、ＭＧは最大撮影倍率である。
また、本第２０の発明によるズームレンズは、本第１乃至第１９の発明のズームレンズが、次の条件式(8)を満足することを特徴としている。
０．０８  ＜  Δｄ／ｆｔ  ＜  ０．１２                    …(8)
但し、Δｄは無限遠から最至近物点までのフォーカシング移動量、ｆｔは望遠端での全系の焦点距離である。
また、本第２１の発明によるズームレンズは、本第１乃至第２０の発明のズームレンズが、次の条件式(9)、(10)を満足することを特徴としている。
１０  ＜  ＩＨ  ＜  １３                              …(9)
２．８  ＜  ｆｂ／ＩＨ  ＜  ３．８                      …(10)
但し、ＩＨはイメージサークル半径、ｆｂは広角端でのレンズ最終面から撮像面までの距離である。
また、本第２２の発明によるズームレンズは、本第１乃至第２１の発明のズームレンズが、次の条件式(11)を満足することを特徴としている。
０  ＜  ｜ＥＷ｜  ＜  １５                          …(11)
但し、ＥＷは対角線上にある最も軸外の主光線（対角主光線）と光軸とのなす角度（°）である。
また、本第２３の発明による大口径望遠ズームレンズは、本第１乃至第２２の発明のズームレンズが、カメラ本体と着脱可能なマウント部を有することを特徴としている。
また、本第２４の発明によるカメラは、本第１乃至第２２の発明の大口径望遠ズームレンズと、その大口径望遠ズームレンズを着脱可能とするマウント部と、クイックリターンミラーとを有することを特徴としている。
また、本第２５の発明によるカメラは、本第１乃至第２２の発明の大口径望遠ズームレンズと、その大口径望遠ズームレンズの像側に配置された、ファインダー光路と撮影用光路とに分離可能な反射部材とを有することを特徴としている。